(57)【要約】【課題】  正方形状のドットマトリックスによる基本パネルでは対応できなかった顧客の細かいニーズに充分に対応でき、潜在的に眠る多大の需要を掘り起こすことが可能であり、製造の手間がかからない表示基本パネルを提供する。【解決手段】１ドットが１または２以上の発光ダイオードで構成され、該ドットの集合体であるドットマトリックスによって構成した表示基本パネルであって、ドットマトリックスの行と列の比が、３：４、５：８、９：１６のいずれか一つであり、具体的に３：４の場合について示すと、ドットマトリックスの行と列が、例えば、１２ドット行と１６ドット列、２４ドット行と３２ドット列とである。【選択図】図１
2007232895.tif 000002
【特許請求の範囲】
【請求項１】
１ドットが１または２以上の発光ダイオードで構成され、該ドットの集合体であるドットマトリックスによって構成した表示基本パネルであって、
ドットマトリックスの一辺に含まれるドットの数と、該一辺に直交する他辺に含まれるドットの数との比が、３：４、５：８、９：１６のいずれか一つであることを特徴とする、表示基本パネル。
【請求項２】
１ドットが１または２以上の発光ダイオードで構成され、該ドットの集合体であるドットマトリックスによって構成した表示基本パネルであって、
ドットマトリックスの一辺に含まれるドットの数と、該一辺に直交する他辺に含まれるドットの数とが、
１２ドットと１６ドットとであることを特徴とする、表示基本パネル。
【請求項３】
１ドットが１または２以上の発光ダイオードで構成され、該ドットの集合体であるドットマトリックスによって構成した表示基本パネルであって、
ドットマトリックスの一辺に含まれるドットの数と、該一辺に直交する他辺に含まれるドットの数とが、
２４ドットと３２ドットとであることを特徴とする、表示基本パネル。
【請求項４】
１ドットが１または２以上の発光ダイオードで構成され、該ドットの集合体であるドットマトリックスによって構成した表示基本パネルであって、
ドットマトリックスの一辺に含まれるドットの数と、該一辺に直交する他辺に含まれるドットの数とが、
５ドットと８ドットとであることを特徴とする、表示基本パネル。
【請求項５】
１ドットが１または２以上の発光ダイオードで構成され、該ドットの集合体であるドットマトリックスによって構成した表示基本パネルであって、
ドットマトリックスの一辺に含まれるドットの数と、該一辺に直交する他辺に含まれるドットの数とが、
１０ドットと１６ドットとであることを特徴とする、表示基本パネル。
【請求項６】
１ドットが１または２以上の発光ダイオードで構成され、該ドットの集合体であるドットマトリックスによって構成した表示基本パネルであって、
ドットマトリックスの一辺に含まれるドットの数と、該一辺に直交する他辺に含まれるドットの数とが、
２０ドットと３２ドットとであることを特徴とする、表示基本パネル。
【請求項７】
１ドットが１または２以上の発光ダイオードで構成され、該ドットの集合体であるドットマトリックスによって構成した表示基本パネルであって、
ドットマトリックスの一辺に含まれるドットの数と、該一辺に直交する他辺に含まれるドットの数とが、
９ドットと１６ドットとであることを特徴とする、表示基本パネル。
【請求項８】
１ドットが１または２以上の発光ダイオードで構成され、該ドットの集合体であるドットマトリックスによって構成した表示基本パネルであって、
ドットマトリックスの一辺に含まれるドットの数と、該一辺に直交する他辺に含まれるドットの数とが、
１８ドットと３２ドットとであることを特徴とする、表示基本パネル。
【発明の詳細な説明】
【技術分野】
【０００１】
本発明は表示基本パネルに関し、詳細には、店頭に用いるディスプレイ看板や、大画面の広告表示ディスプレイ等に用いる表示基本パネルに関する。
【背景技術】
【０００２】
現在、従来のペイントによる看板や広告表示板等に代わり、発光ダイオード（ＬＥＤ）によるメッセージボードや、カラービジョンが使用されつつある。
【０００３】
これらのメッセージボードや、カラービジョンは、１２ドット×１２ドット、１６ドット×１６ドット、２４ドット×２４ドット等の各ドットマトリックスによる表示基本パネルが使われている。
【０００４】
すなわち、これらの正方形状のドットマトリックスによる基本パネルを組み合わせることで、所定の大きさのものを製造している。
【０００５】
特に、画面の大きさの縦横比を示すアスペクト比が、テレビと同様に４：３のものは、ＰＣのモニタやデジタルカメラの撮影画像のサイズとしても採用されているので、特に需要が多いものである。
【０００６】
また、最近は、人間の視野角を意識したハイビジョンテレビの影響で、アスペクト比が１６：９や、１６：１０のものも注目を集めている。
【０００７】
具体的に、アスペクト比が４：３のカラービジョンを製造するには、カラー発光ダイオードによる１６ドットの正方形状の基本パネルを用い、縦３枚×横４枚で合計１２枚の基本パネルを組み合わせることにより行われている。
【０００８】
また、特に大画面のカラービジョンを構成するために、１６ドットの正方形状の基本パネルを用い、例えば、縦３枚×横４枚で合計１２枚の基本パネルを組み合わせ、６４×４８ドットの１つの表示ユニットを構成し、この表示ユニットを６×６に配置して、アスペクト比が４：３のカラービジョンが製造されている。
【０００９】
一方、特許文献１には、大画面ディスプレイ用途で使用するためのディスプレイピクセルモジュールであって、側壁、前記モジュールの前壁に取りつけられたピクセルの配列、ならびに入力および出力コネクターから成るディスプレイピクセルモジュールにおいて、側壁の少なくともいくつかが内向きに完全に傾斜していて、前壁との間に角を挟んでおり、前記モジュールが、ディスプレイの取りつけ面に前記モジュールを固定するための取りつけ手段を備えていることを特徴とする、ディスプレイピクセルモジュールが、記載されている。
【００１０】
【特許文献１】特開２００５−８４６９１号公報
【発明の開示】
【発明が解決しようとする課題】
【００１１】
従来、所定の大きさのディスプレイを構成するために、１６ドット若しくは２４ドットの正方形状のドットマトリックスを基本構成物とし、この基本構成物を組み合わせることで行っていた。
【００１２】
そのため、組み合わせに限界があり、顧客の細かいニーズに充分に対応することができず、多大な需要を潜在的に眠らせることになっていた。
【００１３】
すなわち、所望のアスペクト比を維持しつつ、任意の大きさのディスプレイを得ようとしても、正方形状のドットマトリックスでは、組み合わせによる制限があり、任意の大きさのものを得ることができなかった。
【００１４】
例えば、アスペクト比が４：３のカラービジョンの場合であって、縦３枚×横４枚で合計１２枚のサイズのものより、少しだけ大きなサイズのものを顧客が望んだ場合について説明する。
【００１５】
このサイズより一回りだけ大きなサイズを得るためには、正方形状の基本構造物を外側に１枚づつ増やすことが考えられるが、縦４枚×横４枚の合計１６枚ではアスペクト比が４：３とならない。
【００１６】
同様に、縦３枚×横５枚の合計１５枚でもアスペクト比が４：３とならず、また、縦４枚×横５枚の合計２０枚でもアスペクト比が４：３とならない。
【００１７】
結局、アスペクト比が４：３となるようにするには、縦６枚×横８枚で合計４８枚のサイズのものとなってしまい、１２枚のサイズと比較して、単純に４倍のパネルコストがかかることになる。
【００１８】
そして、このサイズは、顧客が望んだ一回りだけ大きなサイズとはならないので、顧客の細かいニーズに充分に対応することができず、多大な需要を潜在的に眠らせることになっていた。
【００１９】
また、特許文献１に記載のように、１ドットに相当するディスプレイピクセルモジュール毎に構成することで、所望の大きさに対応することは可能となるが、合計すると何万もの数になるので、製造の手間が大変なものであった。
【００２０】
従って、本発明の解決しようとする課題は、正方形状のドットマトリックスによる基本パネルでは対応できなかった顧客の細かいニーズに充分に対応でき、潜在的に眠る多大の需要を掘り起こすことが可能であり、製造の手間がかからない、表示基本パネルを提供することにある。
【課題を解決するための手段】
【００２１】
第１に、
１ドットが１または２以上の発光ダイオードで構成され、該ドットの集合体であるドットマトリックスによって構成した表示基本パネルであって、
ドットマトリックスの一辺に含まれるドットの数と、該一辺に直交する他辺に含まれるドットの数との比が、３：４、５：８、９：１６のいずれか一つであることを特徴とする、表示基本パネル。
ここで、ドットマトリックスの一辺と、該一辺に直交する他辺とは、一辺を行とすると、該行に直交する他辺は列との関係になるが、行と列を入れ替えることで、一辺を列とすると、該列に直交する他辺は行との関係になる。
なお、ドットマトリックスの行と列の比が３：４のものは、表示基本パネルのアスペクト比としては４：３となる。
また、ドットマトリックスの行と列の比が５：８のものは、表示基本パネルのアスペクト比としては８：５となる。
同様に、ドットマトリックスの行と列の比が９：１６のものは、表示基本パネルのアスペクト比としては、１６：９となる。
第２に、
１ドットが１または２以上の発光ダイオードで構成され、該ドットの集合体であるドットマトリックスによって構成した表示基本パネルであって、
ドットマトリックスの一辺に含まれるドットの数と、該一辺に直交する他辺に含まれるドットの数とが、１２ドットと１６ドットとであることを特徴とする、表示基本パネル。
第３に、
１ドットが１または２以上の発光ダイオードで構成され、該ドットの集合体であるドットマトリックスによって構成した表示基本パネルであって、
ドットマトリックスの一辺に含まれるドットの数と、該一辺に直交する他辺に含まれるドットの数とが、２４ドットと３２ドットとであることを特徴とする、表示基本パネル。
第４に、
１ドットが１または２以上の発光ダイオードで構成され、該ドットの集合体であるドットマトリックスによって構成した表示基本パネルであって、
ドットマトリックスの一辺に含まれるドットの数と、該一辺に直交する他辺に含まれるドットの数とが、５ドットと８ドットとであることを特徴とする、表示基本パネル。
第５に、
１ドットが１または２以上の発光ダイオードで構成され、該ドットの集合体であるドットマトリックスによって構成した表示基本パネルであって、
ドットマトリックスの一辺に含まれるドットの数と、該一辺に直交する他辺に含まれるドットの数とが、１０ドットと１６ドットとであることを特徴とする、表示基本パネル。
第６に、
１ドットが１または２以上の発光ダイオードで構成され、該ドットの集合体であるドットマトリックスによって構成した表示基本パネルであって、
ドットマトリックスの一辺に含まれるドットの数と、該一辺に直交する他辺に含まれるドットの数とが、２０ドットと３２ドットとであることを特徴とする、表示基本パネル。
第７に、
１ドットが１または２以上の発光ダイオードで構成され、該ドットの集合体であるドットマトリックスによって構成した表示基本パネルであって、
ドットマトリックスの一辺に含まれるドットの数と、該一辺に直交する他辺に含まれるドットの数とが、９ドットと１６ドットとであることを特徴とする、表示基本パネル。
第８に、
１ドットが１または２以上の発光ダイオードで構成され、該ドットの集合体であるドットマトリックスによって構成した表示基本パネルであって、
ドットマトリックスの一辺に含まれるドットの数と、該一辺に直交する他辺に含まれるドットの数とが、１８ドットと３２ドットとであることを特徴とする、表示基本パネル。
【００２２】
上記の表示基本パネルは、製造上の容易性を考慮して、分割して構成した部品パネルを合わせることで、一つの表示基本パネルとして扱うこともできる。
例えば、ドットマトリックスの行と列が、９ドット行と１６ドット列とである表示基本パネルの場合は、９ドット行と８ドット列とである部品パネルを構成し、該部品パネルを合わせることで、一つの９ドット行と１６ドット列とである表示基本パネルとすることができる。
【００２３】
ここで、１ドットは、１個の発光ダイオードで構成する時は、各種カラー等による１個だけの発光ダイオードにより構成されたものを意味し、フルカラー表示が可能なように、例えば、２個のレッドタイプの発光ダイオードと、１個のグリーンタイプの発光ダイオードと、１個のブルータイプの発光ダイオードで構成する場合は、画素情報を有するピクセルを意味するものである。
【００２４】
また、ドットピッチとしては、２０mm、３１.２５mm、４０mm、６２.５mm等の各種の値を採用できるが、これらに限定されるものではない。
【発明の効果】
【００２５】
本発明の表示基本パネルによると、正方形状のドットマトリックスによる基本パネルでは対応できなかった顧客の細かいニーズに充分に対応でき、潜在的に眠る多大の需要を掘り起こすことが可能であり、製造の手間がかからない。
【図面の簡単な説明】
【００２６】
【図１】本発明に係るアスペクト比４：３の表示基本パネルの平面図である。
【図２】本発明に係るアスペクト比８：５の表示基本パネルの平面図である。
【図３】本発明に係るアスペクト比１６：９の表示基本パネルの平面図である。
【図４】本発明の表示基本パネルの１ドットを構成する発光ダイオードを示す概略図である。
【符号の説明】
【００２７】
１  発光ダイオード
１Ｒ  レッドタイプの発光ダイオード
１Ｇ  グリーンタイプの発光ダイオード
１Ｂ  ブルータイプの発光ダイオード
２  基盤
【発明を実施するための最良の形態】
【００２８】
以下に、図面を参照しながら、実施の形態について説明する。
【００２９】
各図において、番号１は発光ダイオードを示し、番号２は発光ダイオードを配置する基盤を示している。
【００３０】
また、ここで用いる各発光ダイオード１は、図４に示すように、２個のレッドタイプの発光ダイオード１Ｒと、１個のグリーンタイプの発光ダイオード１Ｇと、１個のブルータイプの発光ダイオード１Ｂとで構成され、カラー表示が可能なものになっている。
なお、各発光ダイオード１を構成する発光ダイオード１Ｒ、発光ダイオード１Ｇ、発光ダイオード１Ｂの数は、前記の１Ｒ：１Ｇ：１Ｂ＝２：１：１に限定されることはない。
【００３１】
図１中の（ａ）には、発光ダイオード１のドットの集合体によって構成した表示基本パネルであって、集合体が、１２ドット行×１６ドット列のドットマトリックスによるものが示されている。
【００３２】
図１中の（ｂ）には、発光ダイオード１のドットの集合体によって構成した表示基本パネルであって、集合体が、２４ドット行×３２ドット列のドットマトリックスによるものが示されている。
【００３３】
図２中の（ａ）には、発光ダイオード１のドットの集合体によって構成した表示基本パネルであって、集合体が、５ドット行×８ドット列のドットマトリックスによるものが示されている。
【００３４】
図２中の（ｂ）には、発光ダイオード１のドットの集合体によって構成した表示基本パネルであって、集合体が、１０ドット行×１６ドット列のドットマトリックスによるものが示されている。
【００３５】
図２中の（ｃ）には、発光ダイオード１のドットの集合体によって構成した表示基本パネルであって、集合体が、２０ドット行×３２ドット列のドットマトリックスによるものが示されている。
【００３６】
図３中の（ａ）には、発光ダイオード１のドットの集合体によって構成した表示基本パネルであって、集合体が、９ドット行×１６ドット列のドットマトリックスによるものが示されている。
【００３７】
図３中の（ｂ）には、発光ダイオード１のドットの集合体によって構成した表示基本パネルであって、集合体が、１８ドット行×３２ドット列のドットマトリックスによるものが示されている。
【００３８】
ここで、ドットピッチとしては、２０mm、３１.２５mm、４０mm、６２.５mm等の各種の値を採用できる。
【００３９】
以下に、代表例として、図１中の（ａ）に示す本発明に係るカラー発光ダイオードによる１２ドット行×１６ドット列のドットマトリックスによる表示基本パネルを用いて、アスペクト比が４：３のカラービジョンを製造する場合について説明する。
【００４０】
この場合、表示基本パネル自体のアスペクト比が４：３なので、縦横で同数の表示基本パネルを組み合わせることで、アスペクト比が４：３のカラービジョンが製造できる。
【００４１】
例えば、縦４枚×横４枚の合計１６枚の表示基本パネルを組み合わせることで、パネル１６枚分の表示面積を有する、アスペクト比が４：３のカラービジョンが製造できる。
【００４２】
このサイズより一回りだけ大きなサイズを得るためには、縦横の表示基本パネルを各々１列づつ増やし、縦５枚×横５枚の合計２５枚とすることで、パネル２５枚分の表示面積を有する、アスペクト比が４：３のカラービジョンが製造できる。
【００４３】
すなわち、所望のアスペクト比を有する表示基本パネルを選択し、所望の大きさにするために、縦横で同数の表示基本パネルを配置することで、大きさや価格等の顧客の細かいニーズに対して対応が可能となる。
【００４４】
なお、図３中の（ａ）に示す本発明に係るカラー発光ダイオードによる９ドット行と１６ドット列のドットマトリックスによる表示基本パネルを用いて、アスペクト比が１６：９のカラービジョンを製造する場合は、初めに９ドット行と８ドット列とである部品パネルを製造し、該製造した部品パネルを２枚合わせて１枚の９ドット行と１６ドット列とである表示基本パネルとすることもできる。
【００４５】
このように、従来の正方形状のドットマトリックスによる基本パネルを用いた場合では対応できない大きさでも、縦横の表示基本パネルを各々１列づつ増やすことで対応でき、必要とする範囲のパネルコスト内での対応が可能となる。
【００４６】
すなわち、従来は存在しなかった大きさのメッセージボードや、カラービジョンを、一般のコスト内で提供できるので、潜在的な需要を掘り起こすことができ、各方面において新たな需要が期待できる。
【図１】
2007232895.tif 000003
【図２】
2007232895.tif 000004
【図３】
2007232895.tif 000005
【図４】
2007232895.tif 000006